(57)【要約】【課題】  本発明は二次元通信技術であるデジタルサイネージを利用し、美術館等で使用される展示物の説明を行い、サーバから送信される説明情報を表示する什器を提供するものである。【解決手段】  美術館等の展示品や店舗説明等に使用する什器であって、各種通信機能を有する携帯端末機器と通信可能な端末装置と、該端末装置に接続するＬＡＮシートと、該ＬＡＮシートを介してコンテンツ配信サーバに接続される通信線とを備えることを特徴とする。【選択図】  図１
2012244494.tif 000002
【特許請求の範囲】
【請求項１】
各種通信機能を有する携帯端末機器と通信可能な端末装置と、
該端末装置に接続するＬＡＮシートと、
該ＬＡＮシートを介してコンテンツ配信サーバに接続される通信線と、
を備えることを特徴とする什器。
【請求項２】
前記携帯端末機器はWifi通信可能な装置であることを特徴とする請求項１に記載の什器。
【請求項３】
前記コンテンツ配信サーバは各種コンテンツサーバに接続されていることを特徴とする請求項１、又は２に記載の什器。
【請求項４】
前記端末装置は上部に所定の角度を有して取り付けられていることを特徴とする請求項１、２、又は３に記載の什器。
【請求項５】
前記端末装置は上部の４方向に取り付けられていることを特徴とする請求項１、２、又は３に記載の什器。
【請求項６】
前記端末装置は上部に所定の角度を有して取り付けられ、本体は壁面に寄せて配設されていることを特徴とする請求項１、２、又３に記載の什器。
【発明の詳細な説明】
【技術分野】
【０００１】
本発明は、二次元通信技術を利用した美術館等で使用される什器に関する。
【背景技術】
【０００２】
今日、美術館や博物館等が多数建設され、絵画や彫刻等の多くの美術品や工芸品が展示されている。また、美術館や博物館に展示された美術品や工芸品には、それぞれ作者や展示品の内容等の説明が紹介されている。通常、このような説明は、それぞれの展示品の近  くにパネルを設け、このパネルに作者や展示品等の内容説明が行われている。
【０００３】
また、美術品や工芸品等の展示物の説明を音声によって行うシステムも使用されている。例えば、特許文献１は美術館等の展示物の説明を行う音声ガイド装置の提案であり、見学者が聴きたい説明の部分を簡単な操作で聴くことができる小型軽量な音声ガイド再生装置の発明を開示する。
【先行技術文献】
【特許文献】
【０００４】
【特許文献１】特開平１１−１４３４１９号公報
【発明の概要】
【発明が解決しようとする課題】
【０００５】
しかしながら、上記従来のパネルを使用した展示物の説明では、説明内容を修正、又は変更する毎にパネルの記載を書き換える必要がある。また、展示物の説明を音声ガイドによって行う場合には、音声ガイドの内容を録音し直す必要がある。
【０００６】
そこで、本考案は二次元通信技術であるデジタルサイネージを利用し、美術館や博物館で展示される展示物の説明を行い、サーバから送信される説明情報を表示する什器を提供するものである。また、美術館や博物館に限らず、例えばショッピングモールの店舗の説明や、取り扱い商品の説明をサーバから送信される説明情報を表示する什器を提供するものである。
【課題を解決するための手段】
【０００７】
上記課題は第１の発明によれば、各種通信機能を有する携帯端末機器と通信可能な端末装置と、該端末装置に接続するＬＡＮシートと、該ＬＡＮシートを介してコンテンツ配信サーバに接続される通信線とを備える什器を提供することによって達成できる。
【０００８】
また、上記課題は第２の発明によれば、前記携帯端末機器はWifi通信可能な装置である什器を提供することによって達成できる。
【０００９】
また、上記課題は第３の発明によれば、前記コンテンツ配信サーバは各種コンテンツサーバに接続されている什器を提供することによって達成できる。
【００１０】
また、上記課題は第４の発明によれば、前記端末装置は上部に所定の角度を有して取り付けられている什器を提供することによって達成できる。
【００１１】
また、上記課題は第５の発明によれば、前記端末装置は上部の４方向に取り付けられている什器を提供することによって達成できる。
【００１２】
さらに、上記課題は第６の発明によれば、前記端末装置は上部に所定の角度を有して取り付けら、本体は壁面に寄せて配設されている什器を提供することによって達成できる。
【発明の効果】
【００１３】
本発明によれば、展示物の説明内容が修正又は変更され、説明内容が更新された場合でも、常に修正された説明文のリアルタイムで表示することができる什器を提供するものである。
【図面の簡単な説明】
【００１４】
【図１】本発明の什器の外観図である。
【図２】什器１の右側断面図である。
【図３】端末装置の表示部の表示例である。
【図４】本発明の什器を使用するシステム構成を示す図である。
【図５】Wifi通信による携帯端末機器と端末装置との通信処理を説明する図である。
【図６】他の構成の什器の外観図である。
【図７】他の構成の什器の外観図である。
【図８】他の構成の什器の外観図である。
【図９】他の構成の什器の外観図である。
【発明を実施するための形態】
【００１５】
以下、本発明の実施の形態を図面を参照しながら説明する。
図１は、本発明の什器の外観図である。同図において、什器１は筐体２と、該筐体２に所定の角度を有して取り付けられた端末装置３で構成されている。また、筐体２にはロック付きのキャスタ４が取り付けられ、移動自在に構成されている。また、筐体２には板金白焼付塗装が施され、防水仕様である。
尚、筐体２の高さは、観察者の平均身長を考慮して、例えば９００ｍｍに設定され、キャスタ４が取り付けられた転倒防止部５は、例えば４５０ｍｍの長さに設定されている。
【００１６】
図２は上記什器１の右側断面図であり、端末装置３の下面には内部ＬＡＮシート３ａが配設され、内部ＬＡＮシート３ａは内部ＬＡＮコネクタ３ｂによって端末装置３に接続されている。また、内部ＬＡＮシート３ａは筐体２内に配設されたＬＡＮケーブル６、及びハブ７を介して後述するコンテンツ配信サーバに接続されている。
【００１７】
図３は端末装置３の表示部３ｃの表示例である。表示部３ｃは絵画等の展示品の画像表示部８と、展示品の説明部９と、携帯端末表示部１０で構成され、携帯端末表示部１０は、利用者が所有する携帯端末機器を選択するための表示である。利用者は所有する携帯端末機器と同じ機器の表示を押下することによって、携帯端末機器を選択することができる。
【００１８】
一方、図４は本例の什器１を使用するシステム構成を示す図である。上記什器１はコンテンツ配信サーバ１２にＬＡＮ（local area network）等のネットワークを介して接続され、コンテンツ配信サーバ１２は複数のコンテンツデータ１１−１、１１−２、・・・１１−ｎに接続されている。
【００１９】
例えば、コンテンツデータ１１−１は絵画の情報を提供するデータであり、コンテンツデータ１１−２は彫刻や工芸品の情報を提供するデータであり、更にコンテンツデータ１１−３はショッピングモールでの店舗や商品情報を提供するデータであり、以下コンテンツデータ１１−ｎまで各種データを保持する。
【００２０】
コンテンツ配信サーバ１２は上記各コンテンツデータ１１−１、１１−２、・・・１１−ｎから必要なデータを読み出す。そして、コンテンツ配信サーバ１２から前述の端末装置３にデータが供給される。また、コンテンツ配信サーバ１２から供給されるコンテンツはデバイダ１３によって複数の什器１のＬＡＮシート１４に入力する。尚、ＬＡＮシート１４は前述の内部ＬＡＮシート３ａに対応する。したがって、コンテンツ配信サーバ１２から配信されたコンテンツはＬＡＮケーブル６を介して内部ＬＡＮシート３ａに供給され、更に端末装置３に供給される。
【００２１】
したがって、什器１の端末装置３には、コンテンツ配信サーバ１２から対応するコンテンツが送信され、例えば図３に示す絵画の画像や説明文が表示部に表示される。
【００２２】
一方、図５はWifi通信による携帯端末機器（以下Wifi端末で示す）１６と上記端末装置３との通信処理を説明する図であり、電波の強さによって受信可能エリアａと起動エリアｂが形成される。受信可能エリアａとは端末装置３からの信号を受信可能な電波強度のエリアであり、起動エリアｂは更にWifi端末１６の起動が可能な電波強度のエリアである。
【００２３】
例えば、Wifi端末１６を保持する利用者が端末装置３に近付き、先ず受信可能エリアａに入ると、端末装置３からの信号受信が可能となり、更に興味をもって近付くと、起動エリアｂに入り、自動的に端末装置３が起動し、コンテンツ配信サーバ１２から配信されるコンテンツが表示され、例えばWifi端末１６のディスプレイに絵画の説明が表示される。例えば、図３に示す表示や、作者の紹介等、動画や音声を含めた表示が行われる。
【００２４】
また、ショッピングモールであれば対応するデータが配信され、店舗の説明や商品の説明が行なわれる。例えば、店舗のメニューや商品の画像等がWifi端末１６のディスプレイに表示される。
【００２５】
次に、本例で使用する什器１としては、前述の図１の例に限らず、例えば図６に示す構成であってもよい。同図に示す什器２０はスーパやドラッグストア等の販売店を想定したものであり、端末装置３上に、例えばＡ４サイズのディスプレイ２１を設け、ディスプレイ２１に商品情報を表示するものである。
【００２６】
また、図７は壁寄せタイプの什器２２であり、壁面に寄せて什器２２を設置し、ショップ等に使用するものである。
【００２７】
また、図８は端末装置３の表示部３ｂが、横長の什器２３であり、例えばＡ４サイズの横向き表示を行なうユーザ向けの什器である。
【００２８】
さらに、図９は４方向からパネル操作が可能であり、利用者の多い場所に設置される什器２４である。
【００２９】
尚、本実施形態においては、上記各構成の什器に限定されず、例えば赤、オレンジ、青、緑等、色の変更も可能であり、更にサイズの異なる什器についても変更可能である。
【符号の説明】
【００３０】
１・・・什器
２・・・筐体
３・・・端末装置
３ａ・・内部ＬＡＮシート
３ｂ・・内部ＬＡＮコネクタ
３ｃ・・表示部
４・・・キャスタ
５・・・転倒防止部
６・・・ＬＡＮケーブル
７・・・ハブ
８・・・画像表示部
９・・・説明部
１０・・携帯端末機器表示部
１１−１．１１−２、１１−ｎ・・・コンテンツデータ
１２・・コンテンツ配信サーバ
１３・・デバイダ
１４・・ＬＡＮシート
１６・・Wifi端末
２０・・什器
２１・・ディスプレイ
２２・・什器
２３・・什器
２４・・什器
【図１】
2012244494.tif 000003
【図２】
2012244494.tif 000004
【図３】
2012244494.tif 000005
【図４】
2012244494.tif 000006
【図５】
2012244494.tif 000007
【図６】
2012244494.tif 000008
【図７】
2012244494.tif 000009
【図８】
2012244494.tif 000010
【図９】
2012244494.tif 000011